(57)【要約】      （修正有）【課題】簡単且つ安価な構成で見え難い平面アンテナを提供する。【解決手段】平面アンテナにおいて，板状のアース素子は，電気絶縁性を有する第１フィルム体に，該第１フィルム体の一表面側に備えられた網目状の導電体を所定範囲の大きさに形成したものが備えられており，放射素子は，電気絶縁性を有する第２フィルム体に，該第２フィルム体の一表面側に備えられた網目状の導電体をパッチ状に形成したものが備えられており，無給電素子は，電気絶縁性を有する第３フィルム体に，該第３フィルム体の一表面側に備えられた網目状の導電体をパッチ状に形成したものが備えられており，第１誘電体層は，誘電体として所定の層幅の空気から成り，第２誘電体層は，誘電体として所定の層幅の樹脂材から成る。少なくとも，前記第１フィルム体，第２フィルム体及び第３フィルム体は透明な樹脂材から成る。【選択図】図１
2007134818.tif 000002
【特許請求の範囲】
【請求項１】
板状のアース素子と，そのアース素子の前方側に第１誘電体層を介して並行に配置したパッチ状の放射素子を並行に配置してなる平面アンテナにおいて，
アース素子は，電気絶縁性を有する第１フィルム体に，該第１フィルム体の一表面側に備えられた網目状の導電体を所定範囲の大きさに形成したものが備えられており，
放射素子は，電気絶縁性を有する第２フィルム体に，該第２フィルム体の一表面側に備えられた網目状の導電体をパッチ状に形成したものが備えられており，
第１誘電体層は，誘電体として所定の層幅の空気から成る，
ことを特徴とした平面アンテナ。
【請求項２】
板状のアース素子と，そのアース素子の前方側に第１誘電体層を介して並行に配置したパッチ状の放射素子と，その放射素子の放射面に第２誘電体層を介してパッチ状の無給電素子を並行に配置してなる平面アンテナにおいて，
アース素子は，電気絶縁性を有する第１フィルム体に，該第１フィルム体の一表面側に備えられた網目状の導電体を所定範囲の大きさに形成したものが備えられており，
放射素子は，電気絶縁性を有する第２フィルム体に，該第２フィルム体の一表面側に備えられた網目状の導電体をパッチ状に形成したものが備えられており，
無給電素子は，電気絶縁性を有する第３フィルム体に，該第３フィルム体の一表面側に備えられた網目状の導電体をパッチ状に形成したものが備えられており，
第１誘電体層は，誘電体として所定の層幅の空気から成り，
第２誘電体層は，誘電体として所定の層幅の樹脂材から成る，
ことを特徴とした平面アンテナ。
【請求項３】
少なくとも，夫々の前記フィルム体は透明な樹脂材から成ることを特徴とした請求項１又は請求項２の何れか一項に記載の平面アンテナ。
【請求項４】
少なくとも，夫々の前記フィルム体には，該フィルム体に形成された各素子の外周に，前記網目状の導電体がなす色調と略同じとなる色若しくは紋様を印刷したことを特徴とした請求項３に記載の平面アンテナ。
【請求項５】
少なくとも，前記フィルム体には，該フィルム体に形成された各素子の外周に，前記網目状の導電体が有する光の透過率と略同じとなるような色若しくは紋様を印刷したことを特徴とした請求項３に記載の平面アンテナ。
【発明の詳細な説明】
【技術分野】
【０００１】
本発明は，主に無線ＬＡＮ等の送受信に用いられる平面アンテナに関する。
【背景技術】
【０００２】
従来の無線ＬＡＮ等に用いられる送受信アンテナとしては，アース板体と，そのアース板体に誘電体層を介して並行に配置したパッチ状の放射素子と，該放射素子の放射面に，誘電体層を介して並行に配置したパッチ状の無給電素子と，からなるアンテナ部をレドームと背面ケースとから成るアンテナケースに収納した平面アンテナが提供されている。（例えば，特許文献１の従来例１を参照）
更に，アンテナケースの背面ケースを金属材料で形成し，この背面ケースをマイクロストリップアンテナのアース板として共用し，アンテナ部とアンテナケースとを一体的に構成した平面アンテナが提案されている。（例えば，特許文献１及び特許文献1の従来例の従来例２を参照）
【０００３】
【特許文献１】特開２００３−１９８２３８号公報
【発明の開示】
【発明が解決しようとする課題】
【０００４】
しかし，従来の平面アンテナによると，屋外環境下においても使用に耐えうるように構成されていることから，その外観や重量は室内環境下において使用するには目立ちすぎたり重過ぎたりした。また屋内用に作ったとしても従来のアンテナ構成やデザインを維持しつつ，防水対策や金具等の強度を緩和したアンテナを提供する場合が多くかった。
ところが，ネットワークの急速な進歩に合わせて，無線ＬＡＮの必要性も高くなり，そのためのアンテナは多様な設置場所に対応したデザインのアンテナが望まれるようになった。
そこで本願においては，こうした問題点を解決するためになされたものであり，
その目的は，極めて斬新なデザインの平面アンテナを提供することにある。
他の目的は，室内に設置しても目立たない平面アンテナを提供する事に有る。
他の目的は，コストが安価な平面アンテナを提供する事に有る。
【課題を解決するための手段】
【０００５】
上記課題を解決するために，請求項1の発明は，板状のアース素子と，そのアース素子の前方側に第１誘電体層を介して並行に配置したパッチ状の放射素子を並行に配置してなる平面アンテナにおいて，アース素子は，電気絶縁性を有する第１フィルム体に，該第１フィルム体の一表面側に備えられた網目状の導電体を所定範囲の大きさに形成したものが備えられており，放射素子は，電気絶縁性を有する第２フィルム体に，該第２フィルム体の一表面側に備えられた網目状の導電体をパッチ状に形成したものが備えられており，第１誘電体層は，誘電体として所定の層幅の空気から成るように構成した。
【０００６】
請求項２の発明は，板状のアース素子と，そのアース素子の前方側に第１誘電体層を介して並行に配置したパッチ状の放射素子と，その放射素子の放射面に第２誘電体層を介してパッチ状の無給電素子を並行に配置してなる平面アンテナにおいて，アース素子は，電気絶縁性を有する第１フィルム体に，該第１フィルム体の一表面側に備えられた網目状の導電体を所定範囲の大きさに形成したものが備えられており，放射素子は，電気絶縁性を有する第２フィルム体に，該第２フィルム体の一表面側に備えられた網目状の導電体をパッチ状に形成したものが備えられており，無給電素子は，電気絶縁性を有する第３フィルム体に，該第３フィルム体の一表面側に備えられた網目状の導電体をパッチ状に形成したものが備えられており，第１誘電体層は，誘電体として所定の層幅の空気から成り，第２誘電体層は，誘電体として所定の層幅の樹脂材から成るように構成した。
【０００７】
請求項３の発明は，請求項１又は請求項２の何れか一項に記載の平面アンテナにおいて，少なくとも，夫々の前記フィルム体は透明な樹脂材から成るように構成した。
【０００８】
請求項４の発明は，請求項３に記載の平面アンテナにおいて，少なくとも，夫々の前記フィルム体には，該フィルム体に形成された各素子の外周に，前記網目状の導電体がなす色調と略同じとなる色若しくは紋様を印刷した。
【０００９】
請求項５の発明は，請求項３に記載の平面アンテナにおいて，少なくとも，前記フィルム体には，該フィルム体に形成された各素子の外周に，前記網目状の導電体が有する光の透過率と略同じとなるような色若しくは紋様を印刷した。
【発明の効果】
【００１０】
請求項１の発明によれば，板状のアース素子と，そのアース素子の前方側に第１誘電体層を介して並行に配置したパッチ状の放射素子を並行に配置してなる平面アンテナにおいて，アース素子は，電気絶縁性を有する第１フィルム体に，該第１フィルム体の一表面側に備えられた網目状の導電体を所定範囲の大きさに形成したものが備えられており，放射素子は，電気絶縁性を有する第２フィルム体に，該第２フィルム体の一表面側に備えられた網目状の導電体をパッチ状に形成したものが備えられており，第１誘電体層は，誘電体として所定の層幅の空気から成るように構成した。
これによると，本発明の実施形態における平面アンテナによれば，アンテナを構成する部材がすべて合成樹脂材から形成されているので部品コストが下がると共に，製造が簡単に行なえる。また製品自体の質量が軽くなり，梱包材等を簡略化できると共に，流通コストを削減することができ，延いては製品コストが安価にできるのである。更に，導電体が形成された第１フィルム体，第２フィルム体を全て同じ物を使い，夫々に合うようにアース素子１２，放射素子２２をエッチングで形成すればよいのでコストが安くできる。
【００１１】
請求項２の発明によれば，板状のアース素子と，そのアース素子の前方側に第１誘電体層を介して並行に配置したパッチ状の放射素子と，その放射素子の放射面に第２誘電体層を介してパッチ状の無給電素子を並行に配置してなる平面アンテナにおいて，アース素子は，電気絶縁性を有する第１フィルム体に，該第１フィルム体の一表面側に備えられた網目状の導電体を所定範囲の大きさに形成したものが備えられており，放射素子は，電気絶縁性を有する第２フィルム体に，該第２フィルム体の一表面側に備えられた網目状の導電体をパッチ状に形成したものが備えられており，無給電素子は，電気絶縁性を有する第３フィルム体に，該第３フィルム体の一表面側に備えられた網目状の導電体をパッチ状に形成したものが備えられており，第１誘電体層は，誘電体として所定の層幅の空気から成り，第２誘電体層は，誘電体として所定の層幅の樹脂材から成るように構成した。
これによると，本発明の実施形態における平面アンテナによれば，アンテナを構成する部材がすべて合成樹脂材から形成されているので部品コストが下がると共に，製造が簡単に行なえる。また製品自体の質量が軽くなり，梱包材等を簡略化できると共に，流通コストを削減することができ，延いては製品コストが安価にできるのである。更に，導電体が形成された第１フィルム体，第２フィルム体，第３フィルム体を全て同じ物を使い，夫々に合うようにアース素子，放射素子，無給電素子をエッチングで形成すればよいのでコストが安くできる。
【００１２】
請求項３の発明によれば，請求項１又は請求項２の何れか一項に記載の平面アンテナにおいて，少なくとも，夫々の前記フィルム体は透明な樹脂材から成るように構成した。
これによれば，例えば，フィルム体は透明材料で，保持離隔体は透明色つき（スケルトン）の合成樹脂材を使うなど，素材の色の組み合わせを簡単に変更できるので，多様な設置場所に対応できる色を簡単に実現できばかりでなく，ユーザーのニーズに答えられるアンテナを提供できる。更に，全てを透明樹脂材でアンテナを構成すれば，設置場所を選ばない，目立ちにくいアンテナを提供できる
【００１３】
請求項４の発明によれば，請求項３に記載の平面アンテナにおいて，少なくとも，夫々の前記フィルム体には，該フィルム体に形成された各素子の外周に，前記網目状の導電体がなす色調と略同じとなる色若しくは紋様を印刷した。
これによれば，各素子の外周に導電体と同じような色調や透過率を有する色若しくは紋様を印刷すれば，アンテナ全体を同一色調で構成することができ，見えぬくく新しいスタイルのアンテナを提供できる。
【００１４】
請求項５の発明によれば，請求項３に記載の平面アンテナにおいて，少なくとも，前記フィルム体には，該フィルム体に形成された各素子の外周は，前記網目状の導電体が有する光の透過率と略同じとなるような色若しくは紋様を印刷した。
これによれば，各素子の外周に導電体と同じような色調や透過率を有する色若しくは紋様を印刷すれば，アンテナ全体を同一色調で構成することができ，見えぬくく新しいスタイルのアンテナを提供できる。
【発明を実施するための最良の形態】
【００１５】
以下に，本発明を具体化した実施形態の例を，図面を基に詳細に説明する。
図１は本発明の実施形態における平面アンテナの斜視図である。図２は図１に示される平面アンテナの分解斜視図である。図３は異なる実施例の平面アンテナの分解斜視図である。図４は図１におけるＡ−Ａ線断面図である。図５はフィルム体と導電体の形成状態を示す部分拡大図である。図６は異なる実施例である。
【実施例１】
【００１６】
図１及び図２において１は本発明の実施形態における平面アンテナであり，以下にこの平面アンテナの構成について説明する。
１０は合成樹脂材からなる薄肉のフィルム体１１と，該フィルム体１１の一表面側に貼り付けられた導電体を，エッチングによって極細の網目状となるように形成されたアース素子１２とからなるアース板体であり，四隅にはアース板体挿通孔１３ａ，１３ｂ，１３ｃ，１３ｄが形成されている。
９は合成樹脂材からなる前記アース板体を保持するためのアース板体保持体である。このアース板体保持体９には，前記アース板体挿通孔１３に対向する位置に挿通孔３ａ，３ｂ，３ｃ，３ｄ（図示されていない）が形成されており，夫々の挿通孔１３と挿通孔３の軸線を合わせ，アース用ネジ７ａ，７ｂ，７ｃ，７ｄをアース板体保持板９の後方より挿通させることによってアース板体１０とアース板体保持板９とが取り付けられるように構成されている。
【００１７】
更に，アース板体１０の前方にはスペーサ１５ａ，１５ｂ，１５ｃ，１５ｄが備えられている。このスペーサ１５はアース板体１０とアース板体保持板９を固着するための前記アース用ネジ７の螺合体であると共に，後述の放射素子２２とアース素子１２との間隔を所定の寸法だけ離すために備えられるもので，所定寸法に長さに形成されると共に，内部  には前記アース用ネジ７の雄ネジに螺合する雌ネジが軸線方向にわたって形成されている。
そして，このスペーサ１５に前記アース用ネジ７を螺合する事によってアース板体１０とアース板体保持板９とは固着される。
尚，このアース板体１０のフィルム体１１が請求項に記載の第１フィルム体であり，この第１フィルム体１１には，図５に示されるようにアース素子１２が形成された側にもアース素子１２を保護するためのフィルム体１１ａを備えさせるように構成してもよい。また，アース板体１０とアース板体保持板９との間に粘着材を介挿させることによって両者を予め固着するように構成してもよい。この場合，フィルム体１１に挿通孔１３を形成する必要がないので，フィルム体の四隅を切欠いた形状にしてもよい。
【００１８】
次に２０は合成樹脂材からなる薄肉のフィルム体２１と，該フィルム体２１の一表面側に貼り付けられた導電体を，極細の網目状で形状がパッチ状にとなるようにエッチングによって形成された放射素子２２とからなる放射素子板体である。また，このフィルム体２１には，前記放射素子２２と，該放射素子２２と外部とを接続するための同軸ケーブルなどの給電線と接続するための，先端部に給電点２５ａを備えた給電線路２５と，前記給電線のアースを接続するためのアース部２６が形成されている。この給電線路２５とアース部２６は，放射素子と同様に導電体を網目状となるようにエッチングしても良いし，ベタに形成してもよい。
この放射素子板体２０の四隅にも，前記スペーサ１５ａ，１５ｂ，１５ｃ，１５ｄと対向する位置に放射素子板体挿通孔２３ａ，２３ｂ，２３ｃ，２３ｄが形成されている。
尚，この放射素子板体２０のフィルム体２１が請求項に記載の第２フィルム体であり，この第２フィルム体２１には，放射素子２２が形成された側にも放射素子２２を保護するためのフィルム体を備えさせるように構成してもよい。
【００１９】
次に３０は合成樹脂材からなる薄肉のフィルム体３１と，該フィルム体３１の一表面側に貼り付けられた導電体を，極細の網目状で形状がパッチ状にとなるようにエッチングによって形成された無給電素子３２とからなる無給電素子板体である。
この無給電素子板体３０の四隅にも，前記放射素子板体挿通孔２３ａ，２３ｂ，２３ｃ，２３ｄと対向する位置に無給電素子板体挿通孔３３ａ，３３ｂ，３３ｃ，３３ｄが形成されている。
尚，この放射素子板体３０のフィルム体３１が請求項に記載の第３フィルム体であり，この第３フィルム体３１には，無給電素子３２が形成された側にも無給電素子３２を保護するためのフィルム体を備えさせるように構成してもよい。
【００２０】
４０は合成樹脂材からなる前記放射素子板体２０と前記無給電素子板体３０とを保持するための保持体であると共に，放射素子２２と無給電素子３２との間の寸法を所定寸法とするための離隔体である。
この保持離隔体４０には，前記放射素子板体挿通孔２３に対向する位置に保持体挿通孔４３ａ，４３ｂ，４３ｃ，４３ｄ（図示されていない）が形成されており，前記保持体挿通孔４３に夫々の放射素子板体挿通孔２３と無給電素子板体挿通孔３３の軸線を合わせるように備えさせてから，無給電素子板体３０の前方より素子用ネジ３７ａ，３７ｂ，３７ｃ，３７ｄを挿通させることによって放射素子板体２０と無給電素子板体３０とが取り付けられるように構成されている。
更に，各板体に形成された挿通孔３，１３，２３，４３，３３とスペーサ１５とは軸線が一致するように配列されていることから，素子用ネジ３７を前記スペーサ１５の内部に形成された雌ネジに螺合することによって，前記アース素子１２と放射素子２２と無給電素子３２とで平面アンテナが構成されるのである。
尚，保持体４０と放射素子板体２０との間，保持体４０と無給電素子板体３０との間に粘着材を介挿させることによって両者を予め固着するように構成してもよい。この場合，フィルム体２１の挿通孔２３とフィルム体３１の挿通孔３３は形成する必要がないので，各フィルム体の四隅を切欠いた形状にしてもよい。また，粘着材を用いずに着脱自在となるように構成してもよい。
【００２１】
また，本願の実施例ではアース素子１２，放射素子２２，無給電素子３２は，夫々フィルム体に備えられた導電材を細かな網目状に形成されていることから，アース板体保持体９，第１フィルム体１１，第２フィルム体２１，保持離隔体４１，第３フィルム体３１を夫々透明樹脂材で形成する（粘着材を備えた場合は，粘着材も透明粘着材を使用する）ことによって，アンテナ素子が目立たないばかりでなく，アンテナ自体も透明性を維持するため，極めてスッキリとした新しいデザインの平面アンテナを提供できるのである。
【００２２】
次に図３に示される実施形態について説明する。この平面アンテナの構成は上記実施例と全く同じであるが，前段に書いたように，透明樹脂材から構成されたアンテナに適応するものである。即ちアンテナを透明な樹脂で形成し，導電材を網目状に形成すれば，確かに目立たないようにできるものの，例えば導電材が銅からなる場合，網目状に形成された無給電素子３２は遠目から見れば網目は目立たないものの，僅かにその部分が銅色に見えることになる。そこで，この実施例では，少なくとも，前記第３フィルム体３０に形成された無給電素子３２の外周に，前記網目状の導電体がなす色調と略同じとなる色若しくは紋様を印刷することによって，無給電素子板体３０とアース板体１０の色調とも調和することになり，アンテナ全体が同じ質感で形成されて更に優れたデザイン性の高いアンテナを提供できるのである。
また，本願の実施例では第３のフィルム体３１に印刷する例を示したが，第２フィルム体にも同様な印刷をしてもよい事は言うまでもない。
同様に，合成樹脂材自体が同様な色調を有するものに導電体を形成して，その導電材から無給電素子や放射素子を形成してもよい。
また，前記網目状の導電体が有する光の透過率と略同じとなるような色若しくは紋様を第３のフィルム体３１，第２フィルム体２１に印刷してもよいなど，本願の実施例に限定されるものではない。
【００２３】
以上，本発明の実施形態における平面アンテナによれば，アンテナを構成する部材がすべて合成樹脂材から形成されているので部品コストが下がると共に，製造が簡単に行なえる。また製品自体の質量が軽くなり，梱包材等を簡略化できると共に，流通コストを削減することができ，延いては製品コストが安価にできるのである。
更に，導電体が形成された第１フィルム体１１，第２フィルム体２１，第３フィルム体３１は全て同じ物をつかって，夫々に合うようにアース素子１２，放射素子２２，無給電素子３２をエッチングすることで形成すればよいのでコストが安くできる。
また，合成樹脂材で構成されていることから，例えば，フィルム体は透明材料で，保持離隔体は透明色つき（スケルトン）の合成樹脂材を使うなど，素材の色の組み合わせを簡単に変更できるので，多様な設置場所に対応できる色を簡単に実現できばかりでなく，ユーザーのニーズに答えられるアンテナを提供できる。
【００２４】
更に，全てを透明樹脂材でアンテナを構成すれば，設置場所を選ばない，目立ちにくいアンテナを提供できるし，無給電素子や放射素子の外周に導電体と同じような色調や透過率を有する色若しくは紋様を印刷すれば，アンテナ全体を同一色調で構成することができ，見えぬくく新しいスタイルのアンテナを提供できる。
【００２５】
また，放射素子や，無給電素子の形状や配列を適宜に変えた物をあらかじめ数種類用意しておいて，放射素子板体２０や無給電素子板体３０を変更することによって，アンテナの指向性を変更できるのに構成してもよい。
更に，本願の実施例では，無給電素子３２を備えた例を示したが，図６によく示されるように無給電素子３２を備えないアンテナ構成に対応できるように構成してもよい。
尚，本発明は上記実施の形態に限定されるものではなく，各部の構成を適宜に変更して実施することも可能である。
【図面の簡単な説明】
【００２６】
【図１】本発明に係る平面アンテナの実施形態の１例を示す斜視図である。
【図２】図１に示す平面アンテナの分解斜視図である
【図３】図１に示す平面アンテナの異なる実施例である。
【図４】図１に示すＡ-Ａ線断面図である。
【図５】フィルム体の構成を示す一部を破断した拡大図である。
【図６】異なる実施例である。
【符号の説明】
【００２７】
１…平面アンテナ，２…，３…挿通孔，４…，５…，６…，７…アース用ネジ，９…アース板体保持板，…，１０…アース板体，１１…第１フィルム体，１２…アース素子，１３…アース板体挿通孔，１４…，１５…スペーサ，１６…，１７…，１８…，１９…，２０…放射素子板体，２１…第２フィルム体，２２…放射素子，２３…放射素子板体挿通孔，２４…，２５…給電線路，２５ａ…給電点，２６…アース部，２７…，２８…，２９…，３０…無給電素子板体，３１…第３フィルム体，３２…無給電素子，３３…無給電素子板体挿通孔，３４…，３５…，３６…，３７…素子用ネジ，３８…，３９…，４０…保持離隔体，４３…保持体挿通孔
【図１】
2007134818.tif 000003
【図２】
2007134818.tif 000004
【図３】
2007134818.tif 000005
【図４】
2007134818.tif 000006
【図５】
2007134818.tif 000007
【図６】
2007134818.tif 000008